(57)【要約】【課題】  フロントカバーの下縁がほつれることなく、かつ、ボディーラインをより美しく表現することができるブラジャーを提供する。【解決手段】  左右一対のカップを有するフロント部と該フロント部の左右側縁を延長してなる一対のバック部とからなるブラジャー本体及び該ブラジャー本体に下縁を除いた周縁が固定されるフロントカバーを備えたブラジャーにおいて、前記フロントカバーを前記ブラジャー本体における左右表面をそれぞれ被覆する一対のカバーを中央にて連結して形成し、当該フロントカバーを構成する一対のカバーを、ヘム生地からなる下縁部を残した状態で該下縁部より一定距離に位置する成型部分に前記カップの凸形状に合わせて成型を施してなる生地によって形成する。【選択図】  図１
2005298983.tif 000002
【特許請求の範囲】
【請求項１】
左右一対のカップを有するフロント部と該フロント部の左右側縁を延長してなる一対のバック部とからなるブラジャー本体及び該ブラジャー本体に下縁を除いた周縁が固定されるフロントカバーを備えたブラジャーにおいて、前記フロントカバーが前記ブラジャー本体におけるフロント部の左右表面をそれぞれ被覆する一対のカバーを中央にて連結してなり、当該フロントカバーを構成する一対のカバーがヘム生地からなる下縁部を残した状態で該下縁部より一定距離に位置する成型部分に前記カップの凸形状に合わせて成型を施してなる生地によって形成されていることを特徴とするブラジャー。
【請求項２】
フロントカバーを構成する一対のカバーが、ヘム生地からなる下縁部より一定距離に位置する成型部分以外の非成型部分における全部又は一部を該下縁部が伸縮しないように挟持した状態で該成型部分にカップの凸形状に合わせて成型を施してなる生地によって形成されている請求項１記載のブラジャー。
【請求項３】
前記非成型部分における一部が下縁部である請求項２記載のブラジャー。
【請求項４】
左右一対のカップを有するフロント部と該フロント部の左右側縁を延長してなる一対のバック部とからなるブラジャー本体及び該ブラジャー本体に下縁を除いた周縁が固定されるフロントカバーを備えたブラジャーの製造方法において、ヘム生地からなる縁部を有する生地を雌型の凹部が形成された面上に載置した後に該生地のヘム生地からなる縁部より一定距離に位置する成型部分を該雌型の凹部に合致させる第一工程と、該生地の成型部分以外の非成型部分における全部又は一部をヘム生地からなる縁部が伸縮しないように挟持する第二工程と、雌型の凹部に雄型を挿入して該生地の成型部分にカップの凸形状に合わせて成型を施す第三工程と、該生地のヘム生地からなる縁部が下縁部となるように裁断する第四工程とにより、前記ブラジャー本体におけるフロント部の左右表面をそれそれ被覆する一対のカバーを形成した後、当該一対のカバーを中央にて連結してフロントカバーを形成することを特徴とするブラジャーの製造方法。
【請求項５】
第二工程において、非成型部分における一部が縁部である請求項４記載のブラジャーの製造方法。
【請求項６】
第二工程において、雌型及び雄型の熱伝導率よりも低い熱伝導率の部材によって生地の非成型部分における全部又は一部をヘム生地からなる縁部が伸縮しないように挟持する請求項４又は５記載のブラジャーの製造方法。
【発明の詳細な説明】
【技術分野】
【０００１】
本発明は、ブラジャー及びその製造方法に関するものである。
【背景技術】
【０００２】
近年、女性用衣服としてよく見受けられるボディにフィットするＴシャツや薄物セーターなどのアウター（以下、単に「アウター」という。）の着用に際してブラジャーを用いる場合には、ボディーラインをより美しく表現することができるが、一方、ブラジャーの縫合線がアウター表面に現れてしまうため、見栄えが悪くなるという問題があった。この問題を解決するため、従来よりフロント面に現れる縫合線を必要最低限に抑えたブラジャーが多数開発されている。
【０００３】
その一つとして、後出特許文献１には、着用時に乳房を覆う左右一対のカップと、これらのカップを横一列につなぐ中央連結部と、上記カップの左右の縁部からそれぞれ左右の体側部まで延びる左右一対のサイド部とで構成されるフロント部と、上記フロント部の手前側を覆うカップカバーと、上記サイド部の左右の縁部からそれぞれ横方向に延びて着用時に互いの先端部が背中で係合されるバック部と、上記フロント部の左右各一個所と上記バック部の左右各一個所とをそれぞれつなぐ左右一対の肩ひもとを備え、上記カップカバーが、フロント部と略同形状の伸縮性を有する一枚生地からなり、その上縁部と左右縁部がフロント部と縫合一体化されているブラジャーが開示されている。
【０００４】
しかし、前記特許文献１記載のブラジャーにおいては、カップカバーの上縁部及び左右縁部のみがフロント部と縫合一体化されており、カップカバーの下縁部がフロント部のどこにも縫合されずにフリーの状態になっているため、カップカバーの下縁がほつれてしまうという問題点があった。また、カップカバーがフロント部と略同形状の一枚生地からなっているため、カップカバーをフロント部と縫合一体化した際に、カップカバーの胸の谷間に位置する部分がフロント部と密着しないで浮いた状態となり、アウター表面に胸の形状が忠実に再現されず、ボディーラインを美しく表現することができないという問題点があった。
【特許文献１】特開２００１−１４０１０７号（第１頁、図１）
【発明の開示】
【発明が解決しようとする課題】
【０００５】
そこで、本発明は、フロントカバーの下縁がほつれることなく、かつ、ボディーラインをより美しく表現することができるブラジャーを提供することを技術的課題として、その具現化をはかるべく研究・実験を重ねた結果、左右一対のカップを有するフロント部と該フロント部の左右側縁を延長してなる一対のバック部とからなるブラジャー本体及び該ブラジャー本体に下縁を除いた周縁が固定されるフロントカバーを備えたブラジャーにおいて、前記フロントカバーを前記ブラジャー本体におけるフロント部の左右表面をそれぞれ被覆する一対のカバーを中央にて連結して形成し、当該フロントカバーを構成する一対のカバーを、ヘム生地からなる下縁部を残した状態で該下縁部より一定距離に位置する成型部分に前記カップの凸形状に合わせて成型を施してなる生地によって形成すればよいという刮目すべき知見を得、前記技術的課題を達成したものである。
【課題を解決するための手段】
【０００６】
前記技術的課題は、次の通りの本発明によって解決できる。
【０００７】
即ち、本発明に係るブラジャーは、左右一対のカップを有するフロント部と該フロント部の左右側縁を延長してなる一対のバック部とからなるブラジャー本体及び該ブラジャー本体に下縁を除いた周縁が固定されるフロントカバーを備えたブラジャーにおいて、前記フロントカバーが前記ブラジャー本体におけるフロント部の左右表面をそれぞれ被覆する一対のカバーを中央にて連結してなり、当該フロントカバーを構成する一対のカバーがヘム生地からなる下縁部を残した状態で該下縁部より一定距離に位置する成型部分に前記カップの凸形状に合わせて成型を施してなる生地によって形成されているものである。
【０００８】
また、本発明は、前記ブラジャーにおいて、フロントカバーを構成する一対のカバーが、ヘム生地からなる下縁部より一定距離に位置する成型部分以外の非成型部分における全部又は一部を該下縁部が伸縮しないように挟持した状態で該成型部分にカップの凸形状に合わせて成型を施してなる生地によって形成されているものである。
【０００９】
また、本発明は、前記ブラジャーにおいて、非成型部分における一部が下縁部であるものである。
【００１０】
また、本発明は、前記ブラジャーにおいて、非成型部分における一部に下縁部が含まれるものである。
【００１１】
また、本発明に係るブラジャーの製造方法は、左右一対のカップを有するフロント部と該フロント部の左右側縁を延長してなる一対のバック部とからなるブラジャー本体及び該ブラジャー本体に下縁を除いた周縁が固定されるフロントカバーを備えたブラジャーの製造方法において、ヘム生地からなる縁部を有する生地を雌型の凹部が形成された面上に載置した後に該生地のヘム生地からなる縁部より一定距離に位置する成型部分を該雌型の凹部に合致させる第一工程と、該生地の成型部分以外の非成型部分における全部又は一部をヘム生地からなる縁部が伸縮しないように挟持する第二工程と、雌型の凹部に雄型を挿入して該生地の成型部分にカップの凸形状に合わせて成型を施す第三工程と、該生地のヘム生地からなる縁部が下縁部となるように裁断する第四工程とにより、前記ブラジャー本体におけるフロント部の左右表面をそれぞれ被覆する一対のカバーを形成した後、当該一対のカバーを中央にて連結してフロントカバーを形成することを特徴とするブラジャーの製造方法。
【００１２】
また、本発明は、前記ブラジャーの製造方法における第二工程において、非成型部分における一部が縁部であるものである。
【００１３】
また、本発明は、前記ブラジャーの製造方法における第二工程のおいて、雌型及び雄型の熱伝導率よりも低い熱伝導率の部材によって生地の非成型部分における全部又は一部をヘム生地からなる縁部が伸縮しないように挟持するものである。
【００１４】
また、本発明は、前記ブラジャーの製造方法における第二工程において、非成型部分における一部に縁部が含まれるものである。
【発明の効果】
【００１５】
本発明に係るブラジャーは、フロントカバーを左右一対のカバーから構成しているため、ブラジャー本体に取り付けた際に、左右一対のカバーの繋ぎ目に当たるフロントカバーの中央がブラジャー本体のフロント部と密着した状態となっているから、アウターの着用に際して本発明に係るブラジャーを用いれば、該アウターの表面に縫合線が現れることを可及的に抑えることができるので、ボディーラインを非常に美しく表現することができる。また、フロントカバーの下縁部がヘム生地によって構成されているため、ほつれることがない。
【００１６】
従って、本発明の産業上利用性は非常に高いといえる。
【発明を実施するための最良の形態】
【００１７】
以下、本発明の実施の形態を図面に基づき説明する。
【００１８】
実施の形態１．
【００１９】
図１は本実施の形態に係るブラジャーを示した正面図であり、図２は図１に示すブラジャーを示した背面図であり、図３は図１に示すブラジャーのブラジャー本体を示した正面図であり、図４は図１に示すブラジャーのＡ−Ａ断面図であり、図５は図１に示すブラジャーのフロントカバーを構成する一対のカバーの成型方法を示した説明図である。なお、図１及び図２においては、フロントカバーのヘム生地からなる部分を斜線にて示しており、図５においては、生地のヘム生地からなる部分を斜線にて示している。これらの図において、１は、着用者の身体に密着するブラジャー本体２（図３参照）及びブラジャー本体２の表面を被覆するフロントカバー３を備えたブラジャーである。
【００２０】
ブラジャー本体２は、図３に示すように、着用者のバストに密着するフロント部４とフロント部４から着用者の背中へ伸びる左右一対のバック部５，５とから構成されている。なお、フロント部４の上縁と各バック部５の先端側上縁とには、左右一対の肩紐６，６が架け渡されている。
【００２１】
フロント部４は、左右一対のカップ７，７と、一対のカップ７，７を繋ぐ連結布８とから構成されており、連結布８は、一対のカップ７，７の下側に位置付けられており、その上縁が各カップ７，７の上縁を残した周縁に沿って縫合されている。なお、連結布８は、着用時の一対のカップ７，７の動きを規制するために伸縮性の小さな生地又は伸縮性を有しない生地によって形成されており、さらに、下縁に沿うように伸縮性を有しないテープ９が固定されている。
【００２２】
また、フロント部４の背面側には、図２に示すように、各カップ７，７と連結布８との境界に沿ってループ１０に通されたワイヤー１１が固定されている。なお、ループ１０は、着用時のワイヤー１１による違和感を解消するため、肌触りのよい厚みのある生地によって形成されている。
【００２３】
バック部５は、フロント部４の連結布８から側方へ延長されるバンド１２と、バンド１２の先端に設けられた連結片１３とから構成されている。なお、バンド１２は、伸縮性を有する生地によって形成されている。そして、バンド１２の正面側には、図３に示すように、バンド１２と略同形状に形成された装飾生地１４が下縁を除いた周縁を縫合した状態で固定されている。なお、装飾生地１４は、下縁部がヘム生地によって構成された伸縮性を有する生地によって形成されている。
【００２４】
また、バンド１２の背面側には、図２に示すように、着用者の脇に密着する部分に２本のボーン１５，１６が固定されていると共に、上縁と下縁とに沿うように伸縮性を有するテープ１７，１８が固定されている。なお、ボーン１５，１６は、弾力性を有する薄板状の合成樹脂によって形成されており、着用者の身体に密着する面が伸縮性の少ない生地によって被覆されている。
【００２５】
また、一方のバック部５における連結片１３の背面側には、掛ホック１９が設けられており、他方のバック部５における連結片１３の正面側には、掛ホック１９が引っ掛けられる受ホック２０が左右方向に複数並んだ状態で設けられている。
【００２６】
フロントカバー３は、図１に示すように、フロント部４の左側表面を被覆する左カバー２１と、フロント部４の右側表面を被覆する右カバー２２とからなる一対のカバー２１，２２によって構成されており、一対のカバー２１，２２を中央で連結することにより形成されている。なお、一対のカバー２１，２２は、下縁部がヘム生地によって構成された伸縮性を有する生地からなり、該生地には、ヘム生地からなる下縁部２３を残した状態で該下縁部より一定距離に位置する部分にカップ７の凸形状に合わせてモールド成型が施されている。
【００２７】
そして、フロントカバー３は、下縁を除いた周縁がブラジャー本体２に固定されている。詳述すると、図２及び図４に示すように、フロントカバー３の上縁は、ブラジャー本体２におけるフロント部４の上縁を跨ぐように表面側から背面側に折り返された状態で該フロント部４の背面側に縫合されており、また、フロントカバー３の側縁は、ブラジャー本体２におけるフロント部４の背面側に折り返された側縁とバック部５の背面側に折り返された側縁との間に挟まれた状態で縫合されている。従って、図１に示すように、フロントカバー３の正面側周縁には、縫合線が現れないようになっている。
【００２８】
次に、フロントカバー３を構成する一対のカバー２１，２２の形成方法を説明する。
【００２９】
先ず、図５に示すように、カップ７の凸形状に合わせて形成された表面を有する雄型２３と、雄型２３が納まる凹部２４を有する雌型２５と、雌型２５に形成された凹部２４の開口と同形状の開口部２６が形成された一対の挟持板２７ａ，２７ｂとを用意する。そして、図５の（ａ）に示すように、雌型２５の凹部２４が形成された面に一方の挟持板２７ａを載置する。この時、凹部２４の開口と挟持板２７ａの開口部２６とを一致させる。そして、カバー２１，２２の材料となる生地として、ヘム生地からなる縁部を一辺に有する生地２８を用意し、図５の（ｂ）に示すように、挟持板２７ａが載置された雌型２５上に生地２８を載置する。この時、生地２８のヘム生地からなる縁部より一定距離に位置する成型部分を挟持板２７ａの開口部２６上に位置付け、ヘム生地からなる縁部を挟持板２７ａの開口部２６上、即ち、雌型２５の凹部２４上を避けて位置付ける（第一工程）。
【００３０】
次に、図５の（ｃ）に示すように、挟持板２７ａに載置された生地２８上に他方の挟持板２７ｂを重ねて載置する。この時、両挟持板２７ａ，２７ｂの開口部２６を一致させて、生地２８の成型部分以外の非成型部分を両挟持板２７ａ，２７ｂの間に位置付ける。そして、挟持板２７ｂを挟持板２７ａに対して押し付けることにより、生地２８の非成型部分におけるヘム生地からなる縁部を含む一部を両挟持板２７ａ，２７ｂの間に挟持させた状態で固定する。これにより、生地２８のヘム生地からなる縁部が伸縮しないように挟持された状態で固定される（第二工程）。
【００３１】
続いて、図５の（ｄ）及び図５の（ｅ）に示すように、両挟持板２７ａ，２７ｂの開口部２６を通して雄型２３を雌型２５の凹部２４に挿入すると共に、雄型２３及び雌型２５を時間２０〜３０秒・温度１６０〜２３０℃、好ましくは１７０〜１９０℃で加熱し、生地２８の成型部分にカップ７の凸形状に合わせた成型を施す。この時、生地２８のヘム生地からなる縁部は、両挟持板２７ａ，２７ｂの間に伸縮しないように挟持された状態で固定されているため、雄型２３を雌型２５の凹部２４に挿入することで生地に張力が生じても、位置ズレして撓むことがない。また、生地２８の非成型部分は、両挟持板２７ａ，２７ｂの間に位置するため、加熱時における温度上昇が低減され、熱損傷が生じ難い。この後、図５の（ｆ）に示すように、雄型２３を雌型２５の凹部２４から抜き取り、両挟持板２７ａ，２７ｂの間から生地２８を取り出す（第三工程）。
【００３２】
最後に、成型された生地２８のヘム生地からなる縁部がカバーの下縁部になるように裁断し、所定部分を縫合することによってカバー２１，２２を形成する（第四工程）。
【００３３】
なお、雄型２３及び雌型２５は、生地２８の成型部分全体をほぼ均等に加熱する必要があるため、熱伝導率の高い材料により形成すればよい。また、一対の挟持板２７ａ，２７ｂは、生地２８の非成型部分の温度上昇を防ぐ必要があるため、雄型２３及び雌型２５の材料よりも熱伝導率が低い材料により形成すればよい。なお、熱伝導率が高い材料としては、合金などの金属があり、熱伝導率が低い材料としては、アクリルなどの耐熱合成樹脂やグラスファイバーなどがある。
【００３４】
また、雌型２５の下部を熱伝導率の高い材料で形成すると共に、上部を下部の材料よりも熱伝導率が低い材料で形成することにより、挟持板２７ａを省略することができる。この場合には、「雌型及び雄型の熱伝導率よりも低い熱伝導率の部材」は雌型２５の上部となる。
【００３５】
また、雄型２３及び雌型２５の加熱温度は、生地２８の材質、組織、厚さ、糸の太さなどによって調節必要があり、例えば、生地２８として、ポリウレタンが挿入されたポリエステルによって形成された生地を使用する場合には、加熱温度を１７０〜２００℃とすればよく、ポリウレタンが挿入された６６ナイロンによって形成された生地を使用する場合には、加熱温度を１７０〜１９０℃とすればよい。
【００３６】
本実施の形態によれば、フロントカバーを構成する一対のカバーを成型する際に、材料となる生地のヘム生地からなる縁部を一対の挟持板で伸縮しないように挟持した状態で固定するため、雄型と雌型とを合わせることにより該生地に張力が発生しても、ヘム生地からなる縁部が成型部分に対して位置ズレせず、また、撓んで成型ジワが生じることもない。従って、この生地によって形成したフロントカバーによれば、ブラジャー本体に取り付けた際に、フロントカバーのヘム生地からなる縁部をブラジャー本体の下縁部に対して正確に位置付けることがきる。さらに、生地の非成型部分を熱伝導率の低い材料で形成された一対の挟持板で挟持するため、成型時における非成型部分の温度上昇が低減され、熱損傷が生じ難い。
【００３７】
実施の形態２．
【００３８】
本実施の形態は前記実施の形態１に係るブラジャーにおけるフロントカバーの変形例であり、図６は本実施の形態に係るブラジャーを示した正面図であり、図７は本実施の形態に係るブラジャーを示した背面図である。なお、図６及び図７においては、フロントカバーのヘム生地からなる部分を斜線にて示している。また、この図において、図１〜図４と同一符号は同一又は相当部分を示している。
【００３９】
図６に示すように、本実施の形態に係るフロントカバー２９は、ブラジャー本体２の左側表面を被覆する左カバー３０と、ブラジャー本体２の右側表面を被覆する右カバー３１とからなる一対のカバー３０，３１から構成されており、一対のカバー３０，３１を中央で連結することにより形成されている。従って、左カバー３０は、フロント部４の左側表面と該フロント部４の左側方へ延長されるバック部５の表面とを被覆できる形状に形成されており、右カバー３１は、フロント部４の右側表面と該フロント部４の右側方へ延長されるバック部５の表面とを被覆できる形状に形成されている。なお、一対のカバー３０，３１は、下縁部がヘム生地によって構成されており、フロント部４を被覆する部分には、前記実施の形態１と同様にヘム生地からなる下縁部を残した状態で該下縁部より一定距離に位置する成型部分にカップ７の凸形状に合わせてモールド成型が施されている。
【００４０】
そして、フロントカバー２９は、下縁を除いた周縁がブラジャー本体２に固定されている。詳述すると、図７に示すように、フロントカバー２９の上縁は、ブラジャー本体２の上縁を跨ぐように表面側から背面側に折り返された状態で該ブラジャー本体２の背面側に縫合されており、また、フロントカバー２９の側縁は、バック部５のバンド１２と該バンド１２の先端部に設けられる連結片１３との間に挟まれた状態で縫合されている。従って、フロントカバー２９の正面側周縁に縫合線が現れないようになっている。
【００４１】
本実施の形態によれば、フロントカバーの表面の現れる縫合線を更に削減することができる。
【００４２】
実施の形態３．
【００４３】
本実施の形態は前記実施の形態１においてフロントカバーを構成する一対のカバーを成型する際に使用した一対の挟持板の変形例であり、図８は本実施の形態の変形例１に係る挟持板の使用状態を示した斜視図であり、図９は本実施の形態の変形例２に係る挟持板の使用状態を示した斜視図であり、図１０は本実施の形態の変形例３に係る挟持板の使用状態を示した斜視図である。これらの図において、図５と同一符号は同一又は相当部分を示している。
【００４４】
変形例１：図８に示すように、本変形例に係る一対の挟持板２７ａ，２７ｂは、生地２８全体を挟持できる大きさに形成されている。従って、本変形例に係る一対の挟持板２７ａ，２７ｂを使用する場合には、生地２８の非成型部分の全部を両挟持板２７ａ，２７ｂの間に位置付け、生地２８のヘム生地からなる縁部を伸縮しないように挟持した状態で固定する。
【００４５】
変形例２：図９に示すように、本変形例に係る一対の挟持板２７ａ，２７ｂは、一方の挟持板２７ａに載置された生地２８上に重ねて載置される他方の挟持板２７ｂが生地２８のヘム生地からなる縁部のみを挟持できる大きさに形成されている。従って、本変形例に係る一対の挟持板２７ａ，２７ｂを使用する場合には、生地２８の非成型部分におけるヘム生地からなる縁部のみを両挟持板２７ａ，２７ｂの間に位置付け、生地２８のヘム生地からなる縁部を伸縮しないように挟持した状態で固定する。
【００４６】
変形例３：図１０に示すように、本変形例に係る一対の挟持板２７ａ，２７ｂは、両挟持板２７ａ，２７ｂが生地２８のヘム生地からなる縁部のみを挟持できる大きさに形成されている。従って、本変形例に係る一対の挟持板２７ａ，２７ｂを使用した場合には、生地２８のヘム生地からなる縁部以外の部分を雌型２５上に載置した後、生地２８のヘム生地からなる縁部のみを両挟持板２７ａ，２７ｂの間に位置付け、生地２８のヘム生地からなる縁部を伸縮しないように挟持した状態で固定する。
【００４７】
なお、本変形例においては、雌型２５の上部が熱伝導率の低い材料によって形成されている。
【００４８】
本発明においては、フロントカバーを構成する一対のカバーを成型する際に、材料のなる生地のヘム生地からなる部分を挟持しているが、生地のヘム生地からなる部分が成型時に伸縮せず、かつ、成型部分に対して位置ズレしないようにできれば、他の手段によって固定してもよい。
【００４９】
また、本発明は、ハーフカップのブラジャーに限らず、３／４カップやフルカップのブラジャーであってもよい。また、肩紐を取り外したものであってもよい。
【図面の簡単な説明】
【００５０】
【図１】本発明に係る実施の形態１のブラジャーを示した正面図である。
【図２】図１に示すブラジャーを示した背面図である。
【図３】図１に示すブラジャーのブラジャー本体を示した正面図である。
【図４】図１に示すブラジャーを示したＡ−Ａ断面図である。
【図５】図１に示すブラジャーのカバーの成型方法を示した説明図である。
【図６】本発明に係る実施の形態２のブラジャーを示した正面図である。
【図７】本発明に係る実施の形態２のブラジャーを示した平面図である。
【図８】本発明に係る実施の形態３の変形例１における挟持板の使用状態を示した斜視図である。
【図９】本発明に係る実施の形態３の変形例２における挟持板の使用状態を示した斜視図である。
【図１０】本発明に係る実施の形態３の変形例３における挟持板の使用状態を示した斜視図である。
【符号の説明】
【００５１】
１  ブラジャー
２  ブラジャー本体
３  フロントカバー
４  フロント部
５  バック部
６  肩紐
７  カップ
８  連結布
９  テープ
１０  ループ
１１  ワイヤー
１２  バンド
１３  連結片
１４  装飾生地
１５，１６  ボーン
１７，１８  テープ
１９  掛ホック
２０  受ホック
２１  左カバー
２２  右カバー
２３  雄型
２４  凹部
２５  雌型
２６  開口部
２７  挟持板
２８  生地
２９  フロントカバー
３０  左カバー
３１  右カバー
【図１】
2005298983.tif 000003
【図２】
2005298983.tif 000004
【図３】
2005298983.tif 000005
【図４】
2005298983.tif 000006
【図５】
2005298983.tif 000007
【図６】
2005298983.tif 000008
【図７】
2005298983.tif 000009
【図８】
2005298983.tif 000010
【図９】
2005298983.tif 000011
【図１０】
2005298983.tif 000012